(57)【特許請求の範囲】
【請求項１】
けらば部材の前端部にけらばキャップを装着し、このけらばキャップの上面から前面にかけて排水溝を形成して成ることを特徴とするけらばの排水構造。
【請求項２】
排水溝の上流側の端部を下流側よりも巾広として成ることを特徴とする請求項１記載のけらばの排水構造。
【請求項３】
けらば部材の前端部にけらばキャップを装着し、このけらばキャップの上面の前端部に排水口を形成するとともにけらばキャップに排水口から流れる雨水を受けて軒先に配置した軒樋に流すための雨水受け部を設けて成ることを特徴とするけらばの排水構造。
【発明の詳細な説明】
【０００１】
【発明の属する技術分野】
本発明は、屋根のけらばの排水構造に関するものである。
【０００２】
【従来の技術】
従来、屋根のけらば部分に図１０に示すようにけらば部材１を設け、このけらば部材１の前端部にけらばキャップ２を装着していた。そして、けらば部材１の上面に降った雨水はけらば部材１の前端部に装着したけらばキャップ２の上面に流れるが、けらばキャップ２の施工のばらつき等によりけらばキャップ２を流れる雨水の流れ（図１０においてＡで示す）が一定せず、予期しない部分に雨垂れによる汚れが発生して汚れが目立つという問題があった。
【０００３】
【発明が解決しようとする課題】
本発明は上記の点に鑑みてなされたものであり、施工のばらつきがあってもけらば部材の前端部に装着したけらばキャップの上面に流れた雨水の流れを一定の経路で流すことができて、予期しない部分に雨垂れによる汚れが発生しないようにしたけらばの排水構造を提供することを課題とするものである。
【０００４】
【課題を解決するための手段】
上記課題を解決するために本発明に係るけらばの排水構造は、けらば部材１の前端部にけらばキャップ２を装着し、このけらばキャップ２の上面から前面にかけて排水溝３を形成して成ることを特徴とするものである。このような構成とすることで、けらば部材１の上面に降った雨水がけらば部材１の上面を前方に流れてけらばキャップ２の上面に流れるが、けらばキャップ２の上面に流れた雨水は排水溝３をけらばキャップ２の上面から前面に沿って流れてけらばキャップ２の前面下端から落下するものであり、このように、けらばキャップ２において一定の定まった経路で雨水が流れるようにできるものである。
【０００５】
また、排水溝３の上流側の端部を下流側よりも巾広とすることが好ましい。このような構成とすることで、けらばキャップ２の上面に流れた雨水が排水溝３の上端部の巾広部分で受けられて集められ、スムーズに排水溝３から排水できるものである。
【０００６】
また、けらば部材１の前端部にけらばキャップ２を装着し、このけらばキャップ２の上面の前端部に排水口４を形成するとともにけらばキャップ２に排水口４から流れる雨水を受けて軒先５に配置した軒樋６に流すための雨水受け部７を設けることが好ましい。このような構成とすることで、けらば部材１の上面に降った雨水がけらば部材１の上面を前方に流れてけらばキャップ２の上面に流れるが、けらばキャップ２の上面に流れた雨水が排水口４から雨水受け部７に流れ、雨水受け部７から軒樋６に流れるものであり、このように、けらばキャップ２の上面に流れた雨水を一定の定まった経路でスムーズに軒樋６に排水できることになる。
【０００８】
【発明の実施の形態】
以下、本発明を添付図面に示す実施形態に基づいて説明する。
【０００９】
まず図１、図２に示す実施形態を説明する。屋根９のけらばにはけらば部材１が設けてあり、けらば部材１の前端部にはけらばキャップ２が設けてあってけらばの前端部の化粧仕上げをしてあり、また、このけらばキャップ２は軒樋６を配設した軒先５から前方に向けて突出している。けらばキャップ２にはけらばキャップ２の上面から前面にかけて排水溝３が形成してある。
【００１０】
排水溝３は上流側の端部を下流側よりも巾広としてある。つまり、けらばキャップ２上面の上端部における排水溝３部分を巾広の幅広溝部３ａとしてある。
【００１１】
しかして、けらば部材１の上面に降った雨水はけらば部材１の上面を前方に流れてけらばキャップ２の上面に流れるが、けらばキャップ２の上面に流れた雨水は排水溝３をけらばキャップ２の上面から前面に沿って流れてけらばキャップ２の前面下端から落下するものである。このように、けらばキャップ２に流れた雨水を排水溝３に沿って流して排水溝３の下端から下方に落下させるように構成してあることで、けらばキャップ２の様々な箇所に雨水が流れて雨垂れ汚れを発生させるというようなことを防止できることになる。また、けらばキャップ２に排水溝３を設けることで排水溝３がけらばキャップ２の立体模様となり、けらばキャップ２の外観を高めることができるものである。また、排水溝３の上流側の端部に下流側よりも巾広の幅広溝部３ａを設けてあるので、けらばキャップ２の上面に流れた雨水が排水溝３の上端部の巾広部分で受けられて集められ、スムーズに排水溝３から排水できるものであり、よりいっそうけらばキャップ２の排水溝３以外の部分に雨水が流れないようにできるものである。
【００１２】
次に、図３乃至図６に基づいて本発明の他の実施形態につき説明する。屋根９のけらばにはけらば部材１が設けてあり、けらば部材１の前端部にはけらばキャップ２が設けてあってけらばの前端部の化粧仕上げをしてあり、また、このけらばキャップ２は軒樋６を配設した軒先５から前方に向けて突出している。けらばキャップ２の上面の前端部には排水口４が形成してあり、また、けらばキャップ２内には雨水受け部７が設けてある。雨水受け部７はけらばキャップ２の前片部１１側から背方に向けて下り傾斜するように連出した傾斜排水部１２と傾斜排水部１２の後端に連設した排出部１３とで構成してある。けらばキャップ２の前片部１１及び両側片部１４の上端部はけらばキャップ２の上面を構成する上面片部１５よりも上方に突出していてけらばキャップ２の上面片部１５上を流れる雨水がスムーズに排水口４に流れて前片部１１の外面や両側片部１４の外面に流れないようになっている。けらばキャップ２の一方の側片部１４には雨水受け部７の排出部１３の先端部を挿通するための挿通口１８が設けてあり、排出部１３の先端部を一方の側片部１４から側方に突出してある。そして、けらばキャップ２の上記一方の側片部１４に端部が隣接する軒樋６の上方に上記排出部１３の先端開口を位置させてある。
【００１３】
ここで、本実施形態においては、図５に示すように、軒先がけらばを介して上の軒先部１０ａと下の軒先部１０ｂとに分けてあり、上の軒先部１０ａに配置した上の軒樋６ａを流れる雨水を、けらば部材１内に配置した排水樋部１６を介して下の軒先部１０ｂに配置した下の軒樋６ｂに流すように構成してある。一方の側片部１４には背方から切欠部１９が切欠形成してあり、排水樋部１６の前端に設けたエルボ２０を上記切欠部１９に位置させ、エルボ２０の先端部を下の軒樋６ｂの端部に接続した端部止まり材２１に設けた接続孔部２２に嵌め込み接続してある。
【００１４】
しかして、本実施形態においては、けらば部材１の上面に降った雨水がけらば部材１の上面を前方に流れてけらばキャップ２の上面に流れるが、けらばキャップ２の上面に流れた雨水が排水口４から流下して雨水受け部７の傾斜排水部１２に受けられて傾斜排水部１２の傾斜に沿って排出部１３に流れ、排出部１３の先端開口から軒樋６に流れるものであり、このように、けらばキャップ２の上面に流れた雨水を一定の定まった経路でスムーズに軒樋６に排水でき、けらばキャップ２の外面から直接下方に落下しないようになっており、けらばキャップ２の様々な箇所に雨水が流れて雨垂れ汚れを発生させるというようなことを防止できるものである。また、雨垂れが生じないので、雨垂れにより芝が剥げたり、地面が掘れたりするというトラブルが発生しないようにできるものである。
【００１５】
また、本実施形態では上の軒先部１０ａに配置した上の軒樋６ａを流れる雨水がけらば部材１内に配置した排水樋部１６を介して下の軒先部１０ｂに配置した下の軒樋６ｂに流れて、下の軒樋６ｂに接続した縦樋２５から排水するものである。これにより上の軒樋６ａに縦樋２５を接続しないか、あるいは上の軒樋６ａに縦樋２５を接続するとしても接続する縦樋２５の数を少なくでき、この結果、使用する縦樋２５の数を減らすことができて外観を良くし、また、コストダウンを図ることができるものである。
【００１６】
図６には本発明の更に他の実施形態が示してある。本実施形態においては、基本的な構成は図３乃至図５に示す実施形態と同様なので、異なる構成につき説明する。すなわち、図３乃至図５に示す実施形態においてはけらばキャップ２の側方に軒樋６（下の軒樋６ｂ）の端部の端部止まり材２１が位置している例を示しているが、図６に示す実施形態においてはけらばキャップ２の一方の側片部１４に内側に凹む凹部２３を設け、軒樋６（下の軒樋６ｂ）の端部をけらばキャップ２の凹部２３内に配置してある。これにより軒樋６の端部とけらばキャップ２の側面との間に隙間が生じてこれが外部から見えるというようなことがなく、外観を良くすることができるものである。また、本実施形態においても図示を省略しているが、前述の実施形態と同様にけらばキャップ２には雨水受け部７が設けてあり、けらばキャップ２の上面に流れた雨水が排水口４から雨水受け部７に流れ、雨水受け部７から軒樋６に流れるようになっている。
【００１７】
図７には本発明の更に他の実施形態が示してある。本実施形態においては、基本的な構成は図３乃至図５に示す実施形態と同様なので、異なる構成につき説明する。すなわち、図３乃至図５に示す実施形態においてはけらば軒樋６（下の軒樋６ｂ）の端部の端部止まり材２１とけらばキャップ２とが非固定となっているが、本実施形態においては端部止まり材２１をけらばキャップ２に固定した例である。つまり、けらばキャップ２に固定した端部止まり材２１に軒樋６（下の軒樋６ｂ）の端部を接続して固着してあり、これによりけらばキャップ２と軒樋６（下の軒樋６ｂ）との一体感が現出でき、また、軒樋６の端部がけらばキャップ２に支持されて安定した姿勢を保持できるものである。本実施形態においても図示を省略しているが、前述の実施形態と同様にけらばキャップ２には雨水受け部７が設けてあり、けらばキャップ２の上面に流れた雨水が排水口４から雨水受け部７に流れ、雨水受け部７から軒樋６に流れるようになっている。
【００１８】
図８、図９には本発明の更に他の実施形態が示してある。本実施形態において基本的な構成は図１、図２に示す実施形態と同様なので、異なる構成につき説明する。すなわち、図１、図２に示す実施形態においてはけらばキャップ２の上面から前面にかけて排水溝３を形成した例を示したが、図８、図９に示す実施形態においては、キャップ２の上面部にけらばけらばキャップ２の側部に端部が位置する軒樋６側に向けて下り傾斜した排水凹所８を形成してある。また、本実施形態においては軒樋６の端部が図９に示すようにけらばキャップ２内に挿入してある。
【００１９】
そして、本実施形態においては、けらば部材１の上面に降った雨水がけらば部材１の上面を前方に流れてけらばキャップ２の上面に流れるが、けらばキャップ２の上面に流れた雨水が排水凹所８に流れて排水凹所８の傾斜に沿って流れ、排水凹所８の先端から軒樋６に流れるものであり、この場合、軒樋６の端部がけらばキャップ２内に挿入してあることで、排水凹所８の傾斜下端から軒樋６にスムーズに雨水を排水できるものである。このように、けらばキャップ２の上面に流れた雨水を一定の定まった経路でスムーズに軒樋６に排水でき、けらばキャップ２の外面から直接下方に落下しないようになっており、けらばキャップ２の様々な箇所に雨水が流れて雨垂れ汚れを発生させるというようなことを防止できるものである。また、雨垂れが生じないので、雨垂れにより芝が剥げたり、地面が掘れたりするというトラブルが発生しないようにできるものである。
【００２０】
【発明の効果】
上記のように本発明の請求項１記載の発明にあっては、けらば部材の前端部にけらばキャップを装着し、このけらばキャップの上面から前面にかけて排水溝を形成してあるので、けらば部材の上面に降った雨水がけらば部材の上面を前方に流れてけらばキャップの上面に流れるが、けらばキャップの上面に流れた雨水は排水溝をけらばキャップの上面から前面に沿って流れてけらばキャップの前面下端から落下するものであり、このように、けらばキャップにおいて一定の定まった経路で雨水が流れるようにでき、この結果、けらばキャップの施工にばらつきがあっても、けらばキャップの不特定な箇所に雨垂れ汚れができることがなくて外観を損なうことがないものである。
【００２１】
また、請求項２記載の発明にあっては、上記請求項１記載の発明の効果に加えて、排水溝の上流側の端部を下流側よりも巾広としてあるので、けらばキャップの上面に流れた雨水が排水溝の上端部の巾広部分で受けられて集められ、スムーズに排水溝から排水できて、簡単な構成でよりいっそう確実にキャップの不特定な箇所に雨垂れ汚れができるのを防止できるものである。
また、請求項３記載の発明にあっては、けらば部材の前端部にけらばキャップを装着し、このけらばキャップの上面の前端部に排水口を形成するとともにけらばキャップに排水口から流れる雨水を受けて軒先に配置した軒樋に流すための雨水受け部を設けてあるので、けらば部材の上面に降った雨水がけらば部材の上面を前方に流れてけらばキャップの上面に流れるが、けらばキャップの上面に流れた雨水が排水口から雨水受け部に流れ、雨水受け部から軒樋に流れるものであり、このように、けらばキャップの上面に流れた雨水を一定の定まった経路でスムーズに軒樋に排水でき、この結果、けらばキャップの施工にばらつきがあっても、けらばキャップの不特定な箇所に雨垂れ汚れができることがなくて外観を損なうことがなく、また、軒樋に排水されてけらばキャップから雨垂れが落下しないので、雨垂れにより芝が剥げたり、地面が掘れたりするというトラブルが発生しないものである。
【図面の簡単な説明】
【図１】本発明の一実施形態の斜視図である。
【図２】同上に用いるけらばキャップを示す斜視図である。
【図３】同上の他の実施形態の斜視図である。
【図４】同上に用いるけらばキャップ部分を示す分解斜視図である。
【図５】同上の屋根を示す斜視図である。
【図６】同上の他の実施形態の斜視図である。
【図７】同上の更に他の実施形態の斜視図である。
【図８】同上の更に他の実施形態の斜視図である。
【図９】同上の正面図である。
【図１０】従来例を示す斜視図である。
【符号の説明】
１  けらば部材
２  けらばキャップ
３  排水溝
４  排水口
５  軒先
６  軒樋
７  雨水受け部
８  排水凹所
【図１】
0003541767.tif 000002
【図２】
0003541767.tif 000003
【図３】
0003541767.tif 000004
【図４】
0003541767.tif 000005
【図５】
0003541767.tif 000006
【図６】
0003541767.tif 000007
【図７】
0003541767.tif 000008
【図８】
0003541767.tif 000009
【図９】
0003541767.tif 000010
【図１０】
0003541767.tif 000011